(57)【要約】【課題】ユーザーが、タッチセンサーを介して、表示部が表示するオブジェクトに所望の操作を行うことを容易にする表示装置、及び、画像形成装置を提供する。【解決手段】  表示装置１は、表示部２０、タッチセンサー３０、第１検知部１０１、ウィンドウ生成部１０２、第２検知部１０３、及び、変更部１０４を備える。表示部は、第１オブジェクト２１０を表示する。タッチセンサーは、表示部に設けられる。第１検知部は、タッチセンサーを介して、第１オブジェクトに対する第１操作を検知する。ウィンドウ生成部は、第１検知部が第１操作を検知すると、第１オブジェクトの属する階層よりも下位の階層に属する第２オブジェクト２２０を含むウィンドウ２１１を生成し、ウィンドウを表示部に表示させる。【選択図】図１
2017199070.tif 000002
【特許請求の範囲】
【請求項１】
第１オブジェクトを表示する表示部と、
前記表示部に設けられたタッチセンサーと、
前記タッチセンサーを介して、前記第１オブジェクトに対する第１操作を検知する第１検知部と、
前記第１検知部が前記第１操作を検知すると、前記第１オブジェクトの属する階層よりも下位の階層に属する第２オブジェクトを含むウィンドウを生成し、前記ウィンドウを前記表示部に表示させるウィンドウ生成部と、
前記タッチセンサーを介して、前記ウィンドウと異なる領域に対する第２操作を検知する第２検知部と、
前記表示部が前記ウィンドウを表示しているときに、前記第２検知部が前記第２操作を検知すると、前記ウィンドウの表示内容を変更する変更部と
を備える、表示装置。
【請求項２】
前記ウィンドウに含まれる複数の前記第２オブジェクトのうちの１つの第２オブジェクトを選択する選択部を更に備え、
前記選択部は、前記第２検知部が前記第２操作を検知すると、選択対象の前記第２オブジェクトを変更し、
前記変更部は、前記選択対象の第２オブジェクトの変更に対応して、前記ウィンドウの表示内容を変更する、請求項１に記載の表示装置。
【請求項３】
前記第２検知部が前記第２操作を検知すると、前記ウィンドウが、前記第２オブジェクトの属する階層とは異なる階層に属する第３オブジェクトを含むように、前記変更部は前記ウィンドウの表示内容を変更する、請求項１に記載の表示装置。
【請求項４】
前記第２操作が、被検出物を前記表示部の表示面に沿って移動することを含み、
前記第２検知部は、前記第２操作における前記被検出物の移動方向を検知し、
前記選択部は、前記第２検知部が、前記被検出物の移動方向が第１方向であることを検知した場合に、前記選択対象の第２オブジェクトを変更する、請求項２に記載の表示装置。
【請求項５】
前記第２操作が、前記第１オブジェクトに対する複数タップ操作を含み、
前記変更部は、前記第２検知部が前記第２操作を検知すると、前記ウィンドウが、前記第２オブジェクトの属する階層とは異なる階層に属する第３オブジェクトを含むように、前記ウィンドウの表示内容を変更する、請求項４に記載の表示装置。
【請求項６】
前記選択部は、
前記第２操作が終了したときに選択している前記第２オブジェクトを記憶し、
前記第２検知部が、再度、前記第２操作を検知した場合に、前記選択対象の前記第２オブジェクトを、記憶した前記第２オブジェクトから他の前記第２オブジェクトに変更する、請求項４又は請求項５に記載の表示装置。
【請求項７】
前記第２検知部が、前記被検出物の移動方向が前記第１方向に交差する第２方向であることを検知した場合に、前記ウィンドウが、前記第２オブジェクトの属する階層とは異なる階層に属する第３オブジェクトを含むように、前記変更部は前記ウィンドウの表示内容を変更する、請求項４から請求項６のいずれか１項に記載の表示装置。
【請求項８】
シートに画像を形成する画像形成部と、
請求項１から請求項７のいずれか１項に記載の表示装置と
を備える、画像形成装置。
【発明の詳細な説明】
【技術分野】
【０００１】
本発明は、表示装置、及び、画像形成装置に関する。
【背景技術】
【０００２】
特許文献１に記載の画像形成装置においては、表示部が複数の機能選択ボタンを表示する。ユーザーが、タッチパネルを介して機能選択ボタンの１つを選択すると、表示部はポップアップ画面を表示する。ポップアップ画面は、選択した機能選択ボタンに対応する複数のオブジェクトを含む。ユーザーがポップアップ画面で１つのオブジェクトを選択すると、画像形成装置は、ユーザーが選択したオブジェクトに対応する処理を実行する。
【先行技術文献】
【特許文献】
【０００３】
【特許文献１】特開２００４−２８９６９１号公報
【発明の概要】
【発明が解決しようとする課題】
【０００４】
しかしながら、特許文献１に記載の画像形成装置においては、表示部は、ポップアップ画面に含まれるオブジェクトを比較的小さく表示する。ユーザーが、小さく表示されるオブジェクトに対して、タッチパネルによって、正確な操作を行うことは困難である。その結果、ユーザーは、オブジェクトに対して所望の操作を行うことに、大きなストレスを感じることがあり得る。
【０００５】
本発明は、上記課題に鑑みてなされたものであり、ユーザーが、タッチセンサーを介して、表示部が表示するオブジェクトに所望の操作を行うことを容易にする表示装置、及び、画像形成装置を提供することを目的としている。
【課題を解決するための手段】
【０００６】
本発明の第１の観点によれば、表示装置は、表示部、タッチセンサー、第１検知部、ウィンドウ生成部、第２検知部、及び、変更部を備える。表示部は、第１オブジェクトを表示する。タッチセンサーは、前記表示部に設けられる。第１検知部は、前記タッチセンサーを介して、前記第１オブジェクトに対する第１操作を検知する。ウィンドウ生成部は、前記第１検知部が前記第１操作を検知すると、前記第１オブジェクトの属する階層よりも下位の階層に属する第２オブジェクトを含むウィンドウを生成する。そして、ウィンドウ生成部は、前記ウィンドウを前記表示部に表示させる。第２検知部は、前記タッチセンサーを介して、前記ウィンドウと異なる領域に対する第２操作を検知する。そして、変更部は、前記表示部が前記ウィンドウを表示しているときに、前記第２検知部が前記第２操作を検知すると、前記ウィンドウの表示内容を変更する。
【０００７】
本発明の第２の観点によれば、画像形成装置は、画像形成部と、上記第１の観点による表示装置とを備える。画像形成部は、シートに画像を形成する。
【発明の効果】
【０００８】
本発明によれば、ユーザーは、タッチセンサーを介して、表示部が表示するオブジェクトに所望の操作を容易に行うことができる。
【図面の簡単な説明】
【０００９】
【図１】本発明の実施形態１に係る表示装置を示す図である。
【図２】図１が示す表示装置の外観を示す図である。
【図３】図１が示す表示装置の制御部を示す図である。
【図４】図３が示すウィンドウ生成部により生成されたウィンドウを示す図である。
【図５】１つの第２オブジェクトが選択されたウィンドウを示す図である。
【図６】他の１つの第２オブジェクトが選択されたウィンドウを示す図である。
【図７】更に他の１つの第２オブジェクトが選択されたウィンドウを示す図である。
【図８】複数タップ操作により、表示するオブジェクトの階層が切り替えられたウィンドウを示す図である。
【図９】本発明の実施形態２に係る表示装置が表示する第１画面を示す図である。
【図１０】本発明の実施形態２に係る表示装置が表示する第２画面を示す図である。
【図１１】本発明の実施形態２に係る表示装置が表示する第３画面を示す図である。
【図１２】本発明の実施形態２に係る表示装置が表示する第４画面を示す図である。
【図１３】本発明の実施形態３に係る画像形成装置を示す図である。
【発明を実施するための形態】
【００１０】
以下、本発明の実施形態について、図面（図１〜図１３）を参照しながら説明する。なお、図中、同一又は相当部分については同一の参照符号を付して説明を繰り返さない。
【００１１】
≪実施形態１≫
以下、本発明の実施形態１を図１〜図８を参照して説明する。
図１は、本発明の実施形態１に係る表示装置１を示す。表示装置１は、制御部１０と、表示部２０と、タッチセンサー３０（例えばタッチパネル）とを備える。表示部２０は、例えば、液晶ディスプレーである。タッチセンサー３０は、被検出物（例えば、ユーザーの指、又は、タッチペン）が接触した位置を検知し、検知した位置の座標を示すデータを制御部１０に入力する。
【００１２】
制御部１０は、表示部２０を制御する。制御部１０は、例えば、プロセッサー及びメモリーを含む。プロセッサーは、例えば、ＣＰＵ（Ｃｅｎｔｒａｌ  Ｐｒｏｃｅｓｓｉｎｇ  Ｕｎｉｔ）を含む。メモリーは、データ及びコンピュータープログラムを記憶する。メモリーは、例えば、半導体メモリーを含み、ＨＤＤ（Ｈａｒｄ  Ｄｉｓｋ  Ｄｒｉｖｅ）を更に含んでもよい。
【００１３】
図２は、表示装置１の外観を示す。タッチセンサー３０は、表示部２０の表示面を覆うように配設されている。図２では、理解を容易にするために、タッチセンサー３０は図示していない。なお、タッチセンサー３０は、必ずしも表示部２０の表示面に設けられる必要はなく、表示部２０の内部に組み込まれていてもよい。
【００１４】
図２において、表示装置１は、操作ボタン２０２を備える。操作ボタン２０２は、例えば、ホームキーである。操作ボタン２０２が押下されると、表示部２０は初期画面を表示する。図２が示す表示部２０は、初期画面を表示している。初期画面は、複数のオブジェクト２１０（第１オブジェクト）を含む。
【００１５】
オブジェクト２１０は、例えば、アイコン、フォルダー、及びファイルのいずれかであり得る。また、オブジェクト２１０は、階層構造において、１つ下位の階層に位置するオブジェクトを示す情報（下位情報）を有する。オブジェクト２１０が有する下位情報は、制御部１０のメモリーに記憶される。以下、図２が示すオブジェクト２１０は全てフォルダーであるものとして説明する。
【００１６】
図３は、制御部１０を示す。制御部１０は、メモリーに記憶されたコンピュータープログラムを実行することによって、第１検知部１０１、ウィンドウ生成部１０２、第２検知部１０３、変更部１０４、及び、選択部１０５として機能する。
【００１７】
第１検知部１０１は、タッチセンサー３０が制御部１０に入力するデータに基づいて、オブジェクト２１０に対する第１操作を検知する。第１操作は、ユーザーが、オブジェクト２１０に対応するタッチセンサー３０上の領域に被検出物を接触させること（以下、シングルタップ操作とも記載する）を含む。ウィンドウ生成部１０２は、第１検知部１０１が第１操作を検知すると、ウィンドウを生成し、生成したウィンドウを表示部２０に表示させる。ウィンドウは、オブジェクト２１０の属する階層よりも下位の階層に属するオブジェクトを含む。
【００１８】
第２検知部１０３は、タッチセンサー３０が制御部１０に入力するデータに基づいて、ウィンドウと異なる領域に対する第２操作を検知する。第２操作は、ユーザーが、ウィンドウに対応するタッチセンサー３０上の領域以外の領域において、被検出物をタッチセンサー３０に接触させながら移動すること（以下、移動操作とも記載する）を含む。また、第２検知部１０３は、第２操作における被検出物の移動方向と、第２操作における被検出物の移動距離とを検知可能である。なお、第２操作は、オブジェクト２１０に対するシングルタップ操作であり得る。
【００１９】
変更部１０４は、表示部２０がウィンドウを表示しているときに、第２検知部１０３が第２操作を検知すると、ウィンドウの表示内容を変更する。選択部１０５については、図５を参照して後述する。
【００２０】
次に、図２が示す初期画面において、ユーザーが、タッチセンサー３０を介して行う操作を説明する。ユーザーは、初期画面においては、複数のオブジェクト２１０のうちの所望のオブジェクトに対する第１操作を行う。具体的には、ユーザーは、所望のオブジェクト２１０に対応するタッチセンサー３０上の領域に指で触れる。所望のオブジェクト２１０に対する第１操作により、複数のオブジェクト２１０のうちの所望のオブジェクトが選択される。
【００２１】
図４は、第１操作により生成されたウィンドウ２１１を示す。図４においては、名称「Ａ」を有するオブジェクト２１０（以下、オブジェクト「Ａ」と記載する）が選択されている。オブジェクト「Ａ」が選択されると、ウィンドウ生成部１０２は、表示部２０にウィンドウ２１１を表示させる。ウィンドウ２１１は、オブジェクト「Ａ」の属する階層よりも、例えば１つ下位の階層に属する複数のオブジェクト２２０を含む。
【００２２】
具体的には、第１検知部１０１がオブジェクト「Ａ」に対する第１操作を検知すると、ウィンドウ生成部１０２は、オブジェクト「Ａ」が有する下位情報をメモリーから読み出す。ウィンドウ生成部１０２は、下位情報が示す複数のオブジェクト２２０を含むウィンドウ２１１を生成する。そして、ウィンドウ生成部１０２は、ウィンドウ２１１を表示部２０に表示させる。オブジェクト２２０は、フォルダー、又は、ファイルであり、例えばアルファベット順にウィンドウ２１１内に表示される。
【００２３】
また、ウィンドウ２１１は、名称表示欄２１２と、キャンセルボタン２１３とを含む。名称表示欄２１２は、選択部１０５が選択しているオブジェクト２１０の名称（図示例では、「Ａ」）を表示する。キャンセルボタン２１３は、選択部１０５が１つのオブジェクト２１０を選択している状態を解除する機能を有する。選択部１０５によるオブジェクト２１０の選択が解除されると、ウィンドウ生成部１０２は、表示部２０にウィンドウ２１１の表示を消去させる。
【００２４】
次に、図５を参照して、ウィンドウ２１１に含まれる複数のオブジェクト２２０のうちの１つのオブジェクトを選択する操作を説明する。図５は、１つのオブジェクト２２０が選択されたウィンドウ２１１を示す。
【００２５】
図５においては、ウィンドウ２１１に含まれる複数のオブジェクト２２０のうち、最も上に位置するオブジェクト２２０（以下、オブジェクト「Ａ１」と記載する）が選択部１０５により選択されている。
【００２６】
具体的には、初期画面（図２参照）において、第１操作により例えばオブジェクト「Ａ」（オブジェクト２１０）が選択されると、表示部２０はウィンドウ２１１を表示する。具体的には、第１操作は、オブジェクト「Ａ」に対するシングルタップ操作である。表示部２０がウィンドウ２１１を表示しているときに、第２検知部１０３がオブジェクト「Ａ」に対する第２操作を検知すると、選択部１０５は、デフォルトで、最も上に位置するオブジェクト「Ａ１」を選択する。具体的には、第２操作は、オブジェクト「Ａ」に対するシングルタップ操作である。その結果、変更部１０４は、ウィンドウ２１１が、オブジェクト「Ａ１」を指示するカーソル２１４を含むように、ウィンドウ２１１の表示内容を変更する。
【００２７】
次に、図６を参照して、選択対象のオブジェクト２２０を変更する操作を説明する。図６は、他の１つのオブジェクト２２０が選択されたウィンドウ２１１を示す。
【００２８】
図６においては、ウィンドウ２１１に含まれた複数のオブジェクト２２０のうち、上から３番目に位置するオブジェクト２２０（以下、オブジェクト「Ａ３」と記載する）が選択され、オブジェクト「Ａ３」がカーソル２１４により指示されている。
【００２９】
選択部１０５は、第２検知部１０３が第２操作を検知すると、選択対象のオブジェクト２２０を変更する。具体的には、第２操作は、オブジェクト「Ａ」を始点とする移動操作である。より具体的には、第２操作においては、被検出物は、オブジェクト「Ａ」に対応するタッチセンサー３０上の領域でタッチセンサー３０に接触し、表示部２０の表示面に沿って、予め定められた方向（第１方向）に移動する。第１方向は、例えば、ウィンドウ２１１内でオブジェクト２２０が並ぶ方向に沿う方向である。図示例では、第１方向は、矢印Ｒ１が示す方向、又は、矢印Ｒ２が示す方向である。
【００３０】
また、選択部１０５は、第２検知部１０３が予め定められた距離（例えば３ｍｍ）だけ被検出物が移動することを検知するごとに、選択対象のオブジェクト２２０を、１つのオブジェクト２２０から他の１つのオブジェクト２２０に順次に変更する。第２操作が終了する（例えばユーザーがタッチセンサー３０から指を離す）と、選択部１０５は、第２操作が終了したときに選択しているオブジェクト２２０を示す情報をメモリーに記憶させる。
【００３１】
変更部１０４は、選択対象のオブジェクト２２０の変更に対応して、ウィンドウ２１１の表示内容を変更する。具体的には、変更部１０４は、第２検知部１０３が予め定められた距離だけ被検出物が移動することを検知するごとに、ウィンドウ２１１内でカーソル２１４を移動し、カーソル２１４が指示するオブジェクト２２０を順次に変更する。
【００３２】
カーソル２１４の移動方向は、第２操作で被検出物が移動する方向と同じ方向である。つまり、被検出物の移動方向が下方（矢印Ｒ１が示す方向）であると、カーソル２１４は下方に移動し、被検出物の移動方向が上方（矢印Ｒ２が示す方向）であると、カーソル２１４は上方に移動する。
【００３３】
図６が示すウィンドウ２１１の表示内容を得るために、具体的には、ユーザーは、初期画面（図２参照）において、オブジェクト「Ａ」（オブジェクト２１０）を押すようにタッチセンサー３０に指を触れる（第１操作）。そして、タッチセンサー３０から指を離した後、ユーザーは、再度、オブジェクト「Ａ」を押すようにタッチセンサー３０に指を触れる（第２操作）。その結果、図５が示すように、ウィンドウ２１１においてオブジェクト「Ａ１」が選択される。
【００３４】
次に、ユーザーは、タッチセンサー３０から指を離さずに矢印Ｒ１が示す方向に移動させる（第２操作）。その結果、カーソル２１４は、オブジェクト「Ａ１」（オブジェクト２２０）を指示する位置から、オブジェクト「Ａ２」（オブジェクト２２０）を指示する位置に移動し、次いで、オブジェクト「Ａ３」（オブジェクト２２０）を指示する位置に移動する。なお、ユーザーがタッチセンサー３０から指を離さずに移動させる間、つまり１回の第２操作が継続している間は、ユーザーの指が他のオブジェクト２１０の上を通っても、他のオブジェクト２１０は選択されない。
【００３５】
なお、表示部２０がオブジェクト２１０を表示する位置によっては、被検出物を十分な距離だけ上方向又は下方向に移動できないことがある。例えば、ユーザーがオブジェクト「Ａ」を押すようにタッチセンサー３０に指を触れ、指を上方向（矢印Ｒ２が示す方向）に移動させる場合には、オブジェクト「Ａ」の上方向のスペースが小さいために、指を移動できる距離が限られる。オブジェクト「Ａ」の上方向及び下方向の両方に十分なスペースを確保するために、制御部１０は、選択されたオブジェクト２１０を特定の位置で表示部２０に表示させることができる。
【００３６】
具体的には、制御部１０は、初期画面（図２参照）で選択されたオブジェクト２１０を、例えば第１方向で表示部２０の中央の位置に表示させる。また、ウィンドウ生成部１０２は、生成したウィンドウ２１１を、選択されたオブジェクト２１０と重ならないように、表示部２０に表示させる。制御部１０が、表示部２０に、選択されたオブジェクト２１０を特定の位置で表示させることにより、ユーザーが指を移動する十分なスペースがオブジェクト２１０の上方向及び下方向の両方に確保される。
【００３７】
次に、図７を参照して、複数回の第２操作により所望のオブジェクト２２０を選択する場合について説明する。
【００３８】
図７は、更に他の１つの２２０が選択されたウィンドウ２１１を示す。図７においては、ウィンドウ２１１内で最も下方に位置するオブジェクト（以下、オブジェクト「Ａ６」と記載する）が選択され、オブジェクト「Ａ６」がカーソル２１４により指示されている。
【００３９】
選択部１０５は、１回の第２操作が終了したときに選択しているオブジェクト２２０（オブジェクト「Ａ６」）を記憶している。そして、選択部１０５は、第２検知部１０３が、再度、第２操作を検知した場合に、選択対象のオブジェクト２２０を、記憶したオブジェクト２２０（オブジェクト「Ａ６」）から他のオブジェクト２２０に変更する。
【００４０】
具体的には、１回目の第２操作が終了し、選択部１０５がオブジェクト「Ａ６」を選択している状態で、ユーザーは、再度、オブジェクト「Ａ」を押すようにタッチセンサー３０に指で触れる。そして、タッチセンサー３０から指を離さずに例えば矢印Ｒ１が示す方向に指を移動する。その結果、選択部１０５は、選択対象のオブジェクト２２０を、オブジェクト「Ａ６」からオブジェクト「Ａ７」（オブジェクト２２０）に変更する。なお、オブジェクト「Ａ７」は、図７が示すウィンドウ２１１に表示されていないオブジェクト２２０のうち、例えばアルファベット順で最も早い順序のオブジェクトである。
【００４１】
変更部１０４は、選択部１０５がオブジェクト「Ａ７」を選択すると、ウィンドウ２１１がオブジェクト「Ａ７」を含むようにウィンドウ２１１の表示内容を変更する。そして、変更部１０４は、カーソル２１４がオブジェクト「Ａ７」を指示するように、ウィンドウ２１１の表示内容を変更する。
【００４２】
図７を参照して説明した処理によれば、選択されたオブジェクト２１０（第１オブジェクト）に対応するオブジェクト２２０（第２オブジェクト）が多数である場合にも、第２操作を繰り返すことで、所望のオブジェクト２２０を選択することができる。
【００４３】
次に、図８を参照して、ウィンドウ内に含まれるオブジェクトの階層を切り替える操作について説明する。図８は、第２操作としての複数タップ操作により、表示するオブジェクトの階層が切り替えられたウィンドウを示す。複数タップ操作は、例えばダブルタップ操作である。複数タップ操作は、ユーザーが、所定時間（例えば１秒）以内に、タッチセンサー３０に例えば指を触れること、及び、タッチセンサー３０から指を離すことを複数回繰り返す操作である。
【００４４】
図８においては、表示部２０に、複数のオブジェクト２３０（第３オブジェクト）を含むウィンドウ２１１が表示されている。オブジェクト２３０は、階層構造において、オブジェクト２２０の属する階層と異なる階層に属するオブジェクトである。図示例では、オブジェクト２３０は、オブジェクト２２０の属する階層よりも１つ下の階層に属するオブジェクトである。オブジェクト２３０は、例えばフォルダー、又は、ファイルであり、例えばアルファベット順にウィンドウ２１１内に表示される。
【００４５】
具体的には、オブジェクト「Ａ３」（図６参照）が選択部１０５により選択されている状態で、第２検知部１０３が、タッチセンサー３０が制御部１０に入力するデータに基づいて、オブジェクト「Ａ」（オブジェクト２１０）に対する複数タップ操作を検知すると、変更部１０４は、オブジェクト「Ａ３」が有する下位情報をメモリーから読み出す。そして、変更部１０４は、ウィンドウ２１１が、下位情報が示す複数のオブジェクト２３０を含むように、ウィンドウ２１１の表示内容を変更する。
【００４６】
以上、図４から図８を参照して説明したように、実施形態１によれば、ウィンドウ２１１に含まれるオブジェクト（オブジェクト２２０、オブジェクト２３０）に対する操作ではなく、ウィンドウ２１１の外部における第２操作によりウィンドウ２１１の表示内容が変更される。従って、ユーザーは、比較的に広いエリアで第２操作を行うので、ウィンドウ２１１の表示内容を変更するための操作を容易に行うことができる。
【００４７】
また、図５から図７を参照して説明した処理によれば、ウィンドウ２１１の外部における第２操作により、ウィンドウ２１１に含まれる複数のオブジェクト（オブジェクト２２０、オブジェクト２３０）の１つが選択できるので、ユーザーは、ウィンドウ２１１に含まれる複数のオブジェクト２２０のうちの１つのオブジェクトを容易に選択することができる。
【００４８】
また、図６及び図７が示す処理によれば、ユーザーは、ウィンドウ２１１内でオブジェクト（オブジェクト２２０、オブジェクト２３０）が並ぶ方向（矢印Ｒ１が示す方向、又は、矢印Ｒ２が示す方向）に被検出物を移動することにより、選択対象のオブジェクト２２０を変更できる（図６及び図７参照）。従って、ユーザーは、直感的に理解しやすく、覚えやすい操作で、複数のオブジェクト２２０のうちの１つのオブジェクトを選択することができる。
【００４９】
また、図７を参照して説明した処理によれば、ウィンドウ２１１に表示すべきオブジェクト（オブジェクト２２０、オブジェクト２３０）が多数である場合にも、第２操作を適宜の回数繰り返すことで、所望のオブジェクト２２０を選択することができる。
【００５０】
また、図８を参照して説明した処理によれば、ウィンドウ２１１の外部における第２操作により、異なる階層に属するオブジェクト２３０をウィンドウ２１１に表示させることができる。従って、ユーザーは、ウィンドウ２１１に、異なる階層に属するオブジェクト２３０を容易に表示させることができる。
【００５１】
また、図８を参照して説明した処理によれば、オブジェクト２１０に対する複数タップ操作（例えば、ダブルタップ操作）により、異なる階層に属するオブジェクト２３０を表示できる。従って、多くのユーザーに親しみのある、覚えやすい操作で、異なる階層に属するオブジェクト２３０を表示させることができる（図８参照）。
【００５２】
≪実施形態２≫
図９から図１２を参照して、本発明の実施形態２に係る表示装置について説明する。図９に示すように、実施形態２に係る表示装置の構成は、実施形態１に係る表示装置の構成と同様である。ただし、実施形態２に係る表示装置では、第２操作が、実施形態１に係る表示装置の第２操作と異なる。以下、実施形態２が実施形態１と異なる点を主に説明する。
【００５３】
図９は、実施形態２に係る表示装置が表示する第１画面を示す図である。図１０は、実施形態２に係る表示装置が表示する第２画面を示す図である。
【００５４】
図９に示す第１画面においては、ウィンドウ２１１内で上から３番目に位置するオブジェクト２２０（オブジェクト「Ａ３」）が選択部１０５により選択され、オブジェクト「Ａ３」がカーソル２１４により指示されている。
【００５５】
実施形態１においては、図８を参照して説明したように、第２操作として、オブジェクト「Ａ」（オブジェクト２１０）に対する複数タップ操作が行われた。これに対して、実施形態２においては、異なる階層に属するオブジェクト２３０をウィンドウ２１１に表示する場合に、第２操作として、オブジェクト「Ａ」を始点とする移動操作を行う。
【００５６】
具体的には、第２検知部１０３が、被検出物の移動方向が第１方向に交差する第２方向であることを検知した場合に、変更部１０４は、ウィンドウ２１１の表示内容を図１０が示すウィンドウ２１１の表示内容に変更する。図１０が示すウィンドウ２１１は、オブジェクト２２０の属する階層よりも１つ下位の階層に属する複数のオブジェクト２３０を含む。第２方向は、例えば、ウィンドウ２１１内でオブジェクト２２０が並ぶ方向に直交する方向（矢印Ｒ３が示す方向、及び、矢印Ｒ４が示す方向）である。
【００５７】
より具体的には、ユーザーは、図９が示すオブジェクト「Ａ」（オブジェクト２１０）を指で押すようにタッチセンサー３０に指を触れる。そして、指をタッチセンサー３０から離すことなく、例えば矢印Ｒ３が示す方向に移動させる。その結果、ウィンドウ２１１の表示内容が、図１０が示すウィンドウ２１１の表示内容に変更される。
【００５８】
図１０においては、ウィンドウ２１１に含まれた複数のオブジェクト２３０のうち、最も上に位置するオブジェクト（以下、オブジェクト「Ａ３１」と記載する）が選択部１０５により選択され、オブジェクト「Ａ３１」がカーソル２１４により指示されている。
【００５９】
また、ユーザーは、図１０が示すオブジェクト「Ａ」（オブジェクト２１０）を指で押すようにタッチセンサー３０に指を触れる。そして、指をタッチセンサー３０から離すことなく、例えば矢印Ｒ４が示す方向に移動させる。その結果、ウィンドウ２１１の表示内容が、図９が示すウィンドウ２１１の表示内容に変更される。図９が示すウィンドウ２１１は、図９を参照して説明したように、オブジェクト２３０の属する階層よりも１つ上位の階層に属する複数のオブジェクト２２０を含む。
【００６０】
次に、図１１及び図１２を参照して、オブジェクト２３０よりも更に下位の階層に属するオブジェクトをウィンドウ２１１に含ませる操作について説明する。図１１は、実施形態２に係る表示装置が表示する第３画面を示す図である。図１２は、実施形態２に係る表示装置が表示する第４画面を示す図である。
【００６１】
図１１に示す第３画面においては、ウィンドウ２１１内で最も上に位置するオブジェクト２３０（以下、オブジェクト「Ａ３１」と記載する）が選択部１０５により選択され、オブジェクト「Ａ３１」がカーソル２１４により指示されている。
【００６２】
ユーザーは、図１１が示すオブジェクト「Ａ」（オブジェクト２１０）を指で押すようにタッチセンサー３０に指を触れる。そして、指をタッチセンサー３０から離すことなく、例えば矢印Ｒ３が示す方向に移動させる。その結果、ウィンドウ２１１の表示内容が、図１２が示すウィンドウ２１１の表示内容に変更される。
【００６３】
図１２が示すウィンドウ２１１は、オブジェクト２３０の属する階層よりも１つ下位の階層に属する複数のオブジェクト２４０を含む。また、図１２においては、ウィンドウ２１１に含まれた複数のオブジェクト２４０のうち、最も上に位置するオブジェクト（以下、オブジェクト「Ａ３１１」と記載する）が選択部１０５により選択され、オブジェクト「Ａ３１１」がカーソル２１４により指示されている。
【００６４】
また、ユーザーは、図１２が示すオブジェクト「Ａ」（オブジェクト２１０）を指で押すようにタッチセンサー３０に指を触れる。そして、指をタッチセンサー３０から離すことなく、例えば矢印Ｒ４が示す方向に移動させる。その結果、ウィンドウ２１１の表示内容が、図１１が示すウィンドウ２１１の表示内容に変更される。図１１が示すウィンドウ２１１は、図１１を参照して説明したように、オブジェクト２４０の属する階層よりも１つ上位の階層に属する複数のオブジェクト２３０を含む。
【００６５】
以上、図９から図１１を参照して説明したように、実施形態２によれば、ウィンドウ２１１の外部における第２操作により、異なる階層に属するオブジェクト（オブジェクト２３０、オブジェクト２４０）を含むウィンドウ２１１が表示部２０に表示される。従って、ユーザーは、比較的に広いエリアで第２操作を行うので、異なる階層に属するオブジェクトを容易に表示させることができる。
【００６６】
そして、被検出物を表示部２０の表示面に沿って移動する操作（移動操作）は、実施形態１で選択対象のオブジェクトを変更する操作（図６参照）でも行われる。従って、ユーザーは、指を表示面に沿って移動する方向を変えるだけで、様々な処理に対応する操作を実行することができ、タッチセンサーを介して、表示部が表示するオブジェクトに様々な操作を容易に行うことができる。
【００６７】
≪実施形態３≫
図１３を参照して、本発明の実施形態３に係る画像形成装置２について説明する。図１３は、画像形成装置２を示す。画像形成装置２は、例えば、複写機、プリンター、ファクシミリ、又は複合機である。複合機は、例えば、複写機、プリンター、及びファクシミリのうち少なくとも２つの機器を備える。
【００６８】
画像形成装置２は、制御部１０と、原稿搬送部１００と、画像読取部１１０と、収納部１２０と、搬送部１３０と、画像形成部１４０と、定着部１５０と、排出部１６０とを備える。シートＴは、シート搬送方向に沿って画像形成装置２の内部を搬送される。
【００６９】
制御部１０は、実施形態１及び実施形態２に係る制御部１０として機能し、表示部２０は、実施形態１及び実施形態２に係る表示部２０として機能し、タッチセンサー３０は、実施形態１及び実施形態２に係るタッチセンサー３０として機能する。従って、画像形成装置２に備えられる制御部１０、表示部２０、及びタッチセンサー３０は、実施形態１に係る表示装置１に備えられる。
【００７０】
原稿搬送部１００は、画像読取部１１０に向けて原稿を搬送する。画像読取部１１０は、原稿の画像を読み取って画像データを生成する。収納部１２０はシートＴを収納する。収納部１２０は、カセット１２１及び手差しトレイ１２３を含む。カセット１２１はシートＴを積載する。シートＴは、カセット１２１又は手差しトレイ１２３から搬送部１３０に送り出される。シートＴは、例えば、普通紙、コピー紙、再生紙、薄紙、厚紙、光沢紙、又はＯＨＰ（Ｏｖｅｒｈｅａｄ  Ｐｒｏｊｅｃｔｏｒ）シートである。
【００７１】
搬送部１３０は、画像形成部１４０にシートＴを搬送する。画像形成部１４０は、感光体ドラム１４１、帯電部１４２、露光部１４３、現像部１４４、転写部１４５、クリーニング部１４６、及び除電部１４７を含み、シートＴに画像を形成（印刷）する。
【００７２】
画像の形成されたシートＴは定着部１５０に向けて搬送される。定着部１５０は、シートＴを加熱及び加圧して、シートＴに画像を定着させる。画像が定着されたシートＴは排出部１６０に向けて搬送される。排出部１６０はシートＴを排出する。
【００７３】
制御部１０は、画像形成装置２の各要素を制御する。具体的には、制御部１０が、メモリーに格納されたコンピュータープログラムを実行することにより、表示部２０、原稿搬送部１００、画像読取部１１０、収納部１２０、搬送部１３０、画像形成部１４０、及び定着部１５０を制御する。
【００７４】
以上、図１３を参照して説明したように、実施形態３によれば、画像形成装置２は、実施形態１に係る表示装置１として機能する。従って、実施形態１と同様に、ユーザーは、タッチセンサー３０を介して、表示部２０に表示されたオブジェクトに対して所望の操作を容易に行うことができる。その他、実施形態１と同様の効果を得ることができる。
【００７５】
以上、図面（図１〜図１３）を参照しながら本発明の実施形態について説明した。但し、本発明は、上記の実施形態に限られるものではなく、その要旨を逸脱しない範囲で種々の態様において実施することが可能である（例えば、下記（１））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００７６】
（１）実施形態１から実施形態３においては、タッチセンサー３０を介して、ウィンドウ２１１に対応する領域と異なる領域に対する第２操作が検知されたときに、変更部１０４がウィンドウ２１１の表示内容を変更した。これに限られず、タッチセンサー３０を介して、ウィンドウ２１１に含まれるオブジェクト（オブジェクト２２０、オブジェクト２３０、オブジェクト２４０）に対する操作が検知された場合にも、制御部１０は、ウィンドウ２１１の表示内容を変更することができる。
【００７７】
例えば、図４が示すウィンドウ２１１で、複数のオブジェクト２２０のうちの１つのオブジェクト２２０に対する操作（例えばシングルタップ操作）が行われた場合に、シングルタップ操作が行われたオブジェクトを選択部１０５に選択させる。その結果、ウィンドウ２１１に含まれるオブジェクトに対する直接的な操作が可能となる。従って、ウィンドウ２１１に含まれるオブジェクトに対する操作に慣れているユーザーが、多様な方法により表示装置を操作することができる。
【産業上の利用可能性】
【００７８】
本発明は、表示装置及び画像形成装置に関するものであり、産業上の利用可能性を有する。
【符号の説明】
【００７９】
１      ：表示装置
２      ：画像形成装置
１０    ：制御部
２０    ：表示部
３０    ：タッチセンサー
１０１  ：第１検知部
１０２  ：ウィンドウ生成部
１０３  ：第２検知部
１０４  ：変更部
１０５  ：選択部
１４０  ：画像形成部
２１１  ：ウィンドウ
２１４  ：カーソル
【図１】
2017199070.tif 000003
【図２】
2017199070.tif 000004
【図３】
2017199070.tif 000005
【図４】
2017199070.tif 000006
【図５】
2017199070.tif 000007
【図６】
2017199070.tif 000008
【図７】
2017199070.tif 000009
【図８】
2017199070.tif 000010
【図９】
2017199070.tif 000011
【図１０】
2017199070.tif 000012
【図１１】
2017199070.tif 000013
【図１２】
2017199070.tif 000014
【図１３】
2017199070.tif 000015